(57)【要約】【課題】本発明の課題は、ガイドを有するフィンチューブ型熱交換器であって、ガイド上に水滴が保持されにくいフィンチューブ型熱交換器を提供することにある。【解決手段】本発明のフィンチューブ型熱交換器１は、伝熱フィン２と複数の伝熱管３とを備える。伝熱フィンは気流中に配置される。複数の伝熱管は、伝熱フィンに挿入されており、気流の流れ方向に略直交する方向に配置される。伝熱フィンには、伝熱管の鉛直方向における両側において上流側から下流側に向かって並ぶ複数のガイド２１ａ〜２１ｆが形成される。複数のガイドの少なくとも一部は、第１素材Ｍ１と第２素材Ｍ２とからなる異種接合材料からなる異種接合ガイドである。異種接合ガイドは、第１状態の場合に下向きに傾斜し、第２状態の場合に伝熱フィン面に対して略垂直になる。【選択図】図４
2008215726.tif 000002
【特許請求の範囲】
【請求項１】
気流中に配置された伝熱フィン（２）と、
前記伝熱フィンに挿入されており、前記気流の流れ方向に略直交する方向に配置された複数の伝熱管（３）と、
を備え、
前記伝熱フィンには、前記伝熱管の鉛直方向における両側において前記気流の流れ方向上流側から下流側に向かって真っ直ぐに並ぶ複数のガイド（２１ａ〜２１ｆ）が形成されており、
前記複数のガイドを仮想的に結ぶ直線（Ｌ１，Ｌ２）は、前記伝熱管近傍の気流が前記伝熱管の気流の流れ方向後側に案内されるように、気流の流れ方向に対して傾斜しており、
前記複数のガイドの少なくとも一部は、第１素材（Ｍ１，Ｍ３）と前記第１素材の下面に張り合わされた第２素材（Ｍ２，Ｍ４）とからなる異種接合材料からなる異種接合ガイドであり、
前記異種接合ガイドは、第１状態の場合に下向きに傾斜し、第２状態の場合に前記伝熱フィン面に対して略垂直になる、
フィンチューブ型熱交換器（１）。
【請求項２】
前記異種接合ガイドは、前記伝熱管の下側に形成される前記複数のガイドである、
請求項１に記載のフィンチューブ型熱交換器。
【請求項３】
前記第１素材（Ｍ１）は、水膨張率が大きい素材であり、
前記第２素材（Ｍ２）は、水膨張率が小さい素材であり、
前記第１状態は、前記異種接合ガイドが水を含んでいる状態であり、
前記第２状態は、前記異種接合ガイドがほとんど水を含んでいない状態である、
請求項１または２に記載のフィンチューブ型熱交換器（１）。
【請求項４】
前記第１素材（Ｍ３）は、熱膨張率が小さい素材であり、
前記第２素材（Ｍ４）は、熱膨張率が大きい素材であり、
前記第１状態は、前記異種接合ガイドの温度が所定温度よりも高くなっている状態であり、
前記第２状態は、前記異種接合ガイドの温度が前記所定温度よりも低くなっている状態である、
請求項１または２に記載のフィンチューブ型熱交換器。
【発明の詳細な説明】
【技術分野】
【０００１】
本発明は、フィンチューブ型熱交換器、特に、気流中に配置された伝熱フィンと、伝熱フィンに挿入されており気流の流れ方向に略直交する方向に配置された複数の伝熱管とを備えたフィンチューブ型熱交換器に関する。
【背景技術】
【０００２】
従来、フィンチューブ型熱交換器の熱交換効率を高める手法として、伝熱管の気流の流れ方向後側に気流を導くように伝熱フィンに切り起こし部を形成するものが知られている（特許文献１参照）。
【特許文献１】特開２００７−１０２７９号公報
【発明の開示】
【発明が解決しようとする課題】
【０００３】
しかしながら、特許文献１に示される技術のように、伝熱フィン面上に切り起こし部（ガイド）を設置する手法を空気調和装置の熱交換器の伝熱フィンに適用すると、結露水などの水滴（以下ドレン水と呼ぶ）が発生した場合に、ガイドの上に水滴が乗ってしまい落ちにくくなることがある。また、カラーとガイドとの間で水滴がブリッジして保持される場合もある。このように、ガイドとカラーとの間に水滴が溜まると、水滴が通風抵抗となり、熱交換器を通過する風量が低下して熱交換効率が低下するという問題がある。
【０００４】
本発明の課題は、ガイドを有するフィンチューブ型熱交換器であって、ガイドの上に水滴が保持されにくいフィンチューブ型熱交換器を提供することにある。
【課題を解決するための手段】
【０００５】
第１発明に係るフィンチューブ型熱交換器は、伝熱フィンと、複数の伝熱管とを備える。伝熱フィンは、気流中に配置される。複数の伝熱管は、伝熱フィンに挿入されており、気流の流れ方向に略直交する方向に配置される。伝熱フィンには、伝熱管の鉛直方向における両側において気流の流れ方向上流側から下流側に向かって真っ直ぐに並ぶ複数のガイドが形成されている。複数のガイドを仮想的に結ぶ直線は、伝熱管近傍の気流が伝熱管の気流の流れ方向後側に案内されるように、気流の流れ方向に対して傾斜している。複数のガイドの少なくとも一部は、第１素材と第１素材の下面に張り合わされた第２素材とからなる異種接合材料からなる異種接合ガイドである。異種接合ガイドは、第１状態の場合に下向きに傾斜し、第２状態の場合に伝熱フィン面に対して略垂直になる。
【０００６】
本発明では、複数のガイドの少なくとも一部が、第１状態の場合に下向きに傾斜し、第２状態の場合に伝熱フィン面に対して略垂直に立ち上がる。したがって、例えば、第１状態がドレン水などの水滴が発生して水を吸収した状態の場合に、水を吸収した異種接合ガイドを下向きに傾斜させることができ、伝熱フィン面にドレン水などの水滴が発生した場合に、水滴を下方に流下させることができる。このため、水滴を効率よく排水することができ、このフィンチューブ型熱交換器内を通過する気流の風量を確保することができる。これにより、水滴が発生することによる熱交換効率の低下を極力防ぐことができる。
【０００７】
第２発明に係るフィンチューブ型熱交換器は、異種接合ガイドは、伝熱管の下側に形成される複数のガイドである。
【０００８】
本発明では、ドレン水は特に、冷媒が直接中を流れる伝熱管の近傍に発生しやすい。このため、伝熱管の下側に多くのドレン水が流下することになり、伝熱管の下側に形成される複数のガイドの上に保持される場合が多い。本発明では、伝熱管の下側に形成される複数のガイドを異種接合材料からなる異種接合ガイドとしている。
【０００９】
したがって、特にドレン水が保持されやすい伝熱管の下側に形成される複数のガイドを異種接合ガイドとすることで、水滴を効率よく排水することができる。
【００１０】
第３発明に係るフィンチューブ型熱交換器は、第１素材は、水膨張率が大きい素材である。また、第２素材は、水膨張率が小さい素材である。そして、第１状態は、異種接合ガイドが水を含んでいる状態である。第２状態は、異種接合ガイドがほとんど水を含んでいない状態である。
【００１１】
本発明では、第１素材は水膨張率が大きく、逆に第２素材は水膨張率が小さい素材である。また、第１状態は、異種接合ガイドが水を含んでいる状態であり、第２状態は、第１状態とは逆に水をほとんど含んでいない状態である。異種接合ガイドは、水を含んだ場合に、上面の第１素材が膨張し第２素材がほとんど膨張しないため、下向きに傾斜することになる。また、それとは逆に、水を含んでいない状態になった場合に、伝熱フィン面に対して垂直に立ち上がることになる。
【００１２】
したがって、ドレン水などの水滴が発生した場合に、異種接合ガイドを下向きに傾斜させることができ、水滴を効率よく排出することができる。また、水滴が発生していない場合には、異種接合ガイドを伝熱フィン面に対して垂直に立ち上げることができるため、伝熱管の気流の流れ方向後側に気流を導くことができる。このため、死水域を低減することができ、熱交換効率を向上させることができる。
【００１３】
第４発明に係るフィンチューブ型熱交換器は、第１素材は、熱膨張率が小さい素材である。第２素材は、熱膨張率が大きい素材である。第１状態は、異種接合ガイドの温度が所定温度よりも高くなっている状態である。第２状態は、異種接合ガイドの温度が所定温度よりも低くなっている状態である。
【００１４】
本発明では、第１素材は熱膨張率が小さい素材であり、逆に、第２素材は熱膨張率が大きい素材である。また、第１状態は、異種接合ガイドの温度が所定温度よりも高い状態であり、第２状態は、第１状態とは逆に異種ガイドの温度が所定温度よりも低い状態である。
【００１５】
ここで、異種接合ガイドは、例えば、フィンチューブ型熱交換器が凝縮器として機能した場合に、伝熱フィン面の温度は約５０℃となり下面の第２素材が膨張し上面の第１素材がほとんど膨張しないで、伝熱フィン面と略垂直になる。逆に、フィンチューブ型熱交換器が蒸発器として機能した場合に、伝熱フィン面の温度は約０℃となり、伝熱フィン面の温度が約５０℃と高温の場合と比べて、上面の第１素材はあまり収縮せずに、下面の第２素材が第１素材よりも大きく収縮することになる。このため、蒸発器として機能した場合には、異種接合ガイドは下向きに傾斜することになる。ドレン水は、フィンチューブ型熱交換器が蒸発器として機能して伝熱フィン面の温度が約０℃と低くなった場合に発生しやすい。
【００１６】
したがって、ドレン水などの水滴が発生しやすい場合に、異種接合ガイドを下向きに傾斜させることができ、発生した水滴を効率よく排出することができる。また、フィンチューブ型熱交換器が凝縮器として機能して伝熱フィン面の温度が約５０℃と高温の場合には、水滴はほとんど発生していな。このため、異種接合ガイドを伝熱フィン面に対して垂直に立ち上げることができるため、伝熱管の気流の流れ方向後側に気流を導くことができる。これにより、死水域を低減することができ、熱交換効率を向上させることができる。
【発明の効果】
【００１７】
第１発明に係るフィンチューブ型熱交換器では、例えば、第１状態がドレン水などの水滴が発生して水を吸収した状態の場合に、水を吸収した異種接合ガイドを下向きに傾斜させることができ、伝熱フィン面にドレン水などの水滴が発生した場合に、水滴を下方に流下させることができる。このため、水滴を効率よく排水することができ、このフィンチューブ型熱交換器内を通過する気流の風量を確保することができる。これにより、水滴が発生することによる熱交換効率の低下を極力防ぐことができる。
【００１８】
第２発明に係るフィンチューブ型熱交換器では、特にドレン水が保持されやすい伝熱管の下側に形成される複数のガイドを異種接合ガイドとすることで、水滴を効率よく排水することができる。
【００１９】
第３発明に係るフィンチューブ型熱交換器では、ドレン水などの水滴が発生した場合に、異種接合ガイドを下向きに傾斜させることができ、水滴を効率よく排出することができる。また、水滴が発生していない場合には、異種接合ガイドを伝熱フィン面に対して垂直に立ち上げることができるため、伝熱管の気流の流れ方向後側に気流を導くことができる。このため、死水域を低減することができ、熱交換効率を向上させることができる。
【００２０】
第４発明に係るフィンチューブ型熱交換器では、ドレン水などの水滴が発生しやすい場合に、異種接合ガイドを下向きに傾斜させることができ、発生した水滴を効率よく排出することができる。また、フィンチューブ型熱交換器が凝縮器として機能して伝熱フィン面の温度が約５０℃と高温の場合には、水滴はほとんど発生していな。このため、異種接合ガイドを伝熱フィン面に対して垂直に立ち上げることができるため、伝熱管の気流の流れ方向後側に気流を導くことができる。これにより、死水域を低減することができ、熱交換効率を向上させることができる。
【発明を実施するための最良の形態】
【００２１】
以下、本発明にかかるフィンチューブ型熱交換器の第１実施形態について、図面に基づいて説明する。
【００２２】
図１〜図４に本発明の一実施形態にかかるフィンチューブ型熱交換器１の要部を示す。ここで、図１は、フィンチューブ型熱交換器１の断面図である。図２は、図１のＩＩ−ＩＩ断面図である。図３は、図１のＩＩＩ−ＩＩＩ断面図である。図４は、図１のＩＶ−ＩＶ断面図である。
【００２３】
（１）フィンチューブ型熱交換器の基本構成
フィンチューブ型熱交換器１は、クロスフィンアンドチューブ型熱交換器であり、主として、複数のプレート状の伝熱フィン２と、複数の伝熱管３とを備えている。伝熱フィン２は、その平面方向を空気等の気流の流れ方向に概ね沿わせた状態で、板厚方向に並んで配置されている。伝熱フィン２には、気流の流れ方向に略直交する方向に間隔を空けて複数の貫通孔２ａが形成されている。貫通孔２ａの周囲部分は、伝熱フィン２の板厚方向の一方側に突出する環状のカラー部２３となっている。カラー部２３は、板厚方向に隣り合う伝熱フィン２のカラー部２３が形成された面と反対の面に当接しており、各伝熱フィン２の板厚方向間に所定の間隔Ｈを確保している。伝熱管３は、内部に冷媒等の熱媒体が流れる管部材であり、板厚方向に並んで配置された複数の伝熱フィン２に挿入されており、気流の流れ方向に略直交する方向に配置されている。具体的には、伝熱管３は、伝熱フィン２に形成された貫通孔２ａを貫通しており、フィンチューブ型熱交換器１の組立時の拡管作業によって、カラー部２３の内面に密着している。
【００２４】
また、本実施形態のフィンチューブ型熱交換器１は、複数の伝熱管３の配列方向が略上下方向となるように設置された状態で使用されるものである。このため、気流は、フィンチューブ型熱交換器１を、略水平方向に向かって横切るように流れることになる。なお、以下の説明において、「上側」、「上方」や「下側」、「下方」という文言を用いる場合には、伝熱管３の配列方向を示しているものとする。
【００２５】
（２）伝熱フィンの詳細形状
次に、本実施形態のフィンチューブ型熱交換器１に用いられている伝熱フィン２の詳細形状について説明する。
【００２６】
伝熱フィン２には、各伝熱管３の鉛直方向における両側（すなわち、各伝熱管３の下側および上側）において、気流の流れ方向上流側から下流側に向かって真っ直ぐに並ぶ複数（本実施形態では、下側に３つ、上側に３つ）のガイド２１ａ〜２１ｆが、伝熱フィン２面に形成されている。ここで、下側のガイドを第１ガイド２１ａ〜２１ｃ、上側のガイドを第２ガイド２１ｄ〜２１ｆとする。この第１ガイド２１ａ〜２１ｃを仮想的に結ぶ第１直線Ｌ１または第２ガイド２１ｄ〜２１ｆを仮想的に結ぶ第２直線Ｌ２は、伝熱管３近傍の気流が伝熱管３の気流の流れ方向後側に案内されるように、気流の流れ方向に対して傾斜している。ここで、第１直線Ｌ１および第２直線Ｌ２の気流の流れ方向に対する迎え角α１，α２は、１０°〜３０°の範囲内になるように設定されている。
【００２７】
このように第１ガイド２１ａ〜２１ｃおよび第２ガイド２１ｄ〜２１ｆは、伝熱管３近傍の気流が伝熱管３の気流の流れ方向後側に案内されるように気流の流れ方向に対して傾斜している。このため、主として、ガイド２１ａ〜２１ｆのうち伝熱フィン２の気流の流れ方向上流側に配置された第１ガイド２１ａおよび第２ガイド２１ｄによって境界層を更新する効果を確実に得ることができる。また、伝熱フィン２の気流の流れ方向下流側に配置された第１ガイド２１ｃおよび第２ガイド２１ｆによって伝熱管３の気流の流れ方向後側の部分に形成される死水域を低減する効果を得ることができる。
【００２８】
また、各ガイド２１ａ〜２１ｆは、気流の流れ方向下流側に向かって高さが漸増するように形成されている。本実施形態において、各ガイド２１ａ〜２１ｆは、略台形状または略三角形状であり（図３参照、図３は、第２ガイド２１ｄ〜２１ｆを示す図であるが、第１ガイド２１ａ〜２１ｃについても同様の形状を有する）、その最大高さｈがカラー部２３の高さＨよりも低くなるように形成されている。
【００２９】
このように、各伝熱管３の両側に形成されたガイド２１ａ〜２１ｆのそれぞれが気流の流れ方向上流側から下流側に向かう複数（本実施形態では、上下で各３つずつ）の第１ガイド２１ａ〜２１ｃおよび第２ガイド２１ｄ〜２１ｆに分割されている。このため、伝熱フィン２に発生したドレン水を第１ガイド２１ａ〜２１ｃの隙間および第２ガイド２１ｄ〜２１ｆの隙間から排出されやすくできる。
【００３０】
また、伝熱フィン２には、カラー部２３の周囲にカラー部２３と同心円形状の凹部２４が設けられている。この凹部２４は、図２に示すように断面がカラー部２３に外接する位置にカラー部２３とは逆の方向に伝熱フィン２を凹ませて形成されている。
【００３１】
このように、伝熱フィン２における伝熱管３の周囲全体に凹部２４を形成している。したがって、この凹部２４にドレン水が一時的に滞留し、所定量以上のドレン水が滞留した後に流下し排出されることになる。このため、第１切り起こし部２１ａ〜２１ｃと伝熱管３との間に滞留することなく、ドレン水を排出することができる。
【００３２】
さらに、第１ガイド２１ａ〜２１ｃおよび第２ガイド２１ｄ〜２１ｆが気流の流れ方向上流側から下流側に向かって第１直線Ｌ１および第２直線Ｌ２上を真っ直ぐに並ぶことによって、ガイド２１ａ〜２１ｆのうち伝熱フィン２の気流の流れ方向下流側に配置された第１ガイド２１ｃおよび第２ガイド２１ｆが気流の流れ方向上流側に配置された第１ガイド２１ａおよび第２ガイド２１ｄと同じ傾斜を有することになるため、伝熱管３の気流の流れ方向後側の部分に形成される死水域を低減するだけでなく、第１ガイド２１ｃおよび第２ガイド２１ｆの背後に新たな死水域が形成されるのを防ぐことができる。
【００３３】
以上のように、本実施形態のフィンチューブ型熱交換器１では、伝熱フィン２に発生するドレン水の影響を受けることなく、ガイド２１ａ〜２１ｆによる伝熱促進効果を得ることができるとともに、第１ガイド２１ｃおよび第２ガイド２１ｆの背後に新たな死水域が形成されるのを防ぐことができるため、ガイド２１ａ〜２１ｆによる伝熱促進効果と排水性とを両立させることができる。
【００３４】
また、このフィンチューブ型熱交換器１では、各ガイド２１ａ〜２１ｆの形状を気流の流れ方向下流側に向かって高さが漸増した形状にすることによって、各ガイド２１ａ〜２１ｆの背後に縦渦を生じさせることができるため、各ガイド２１ａ〜２１ｆによる伝熱促進効果をさらに高めることができる。
【００３５】
（３）ガイドの構造
各ガイド２１ａ〜２１ｆは、図４に示す断面図のように２枚の薄い板状の第１素材Ｍ１と第２素材Ｍ２とを張り合わせて構成されている。この、２枚の薄い板状の第１素材Ｍ１と第２素材Ｍ２とを張り合わせた素材を異種接合材料と呼ぶことにする。図４は、図１のＩＶ−ＩＶ断面図である。
【００３６】
第１素材Ｍ１は水に触れると水を吸収して膨張し、第２素材Ｍ２は水に触れてもほとんど膨張しない。例えばフィンチューブ型熱交換器１が蒸発器として機能するなどして、伝熱フィン２面上にドレン水が発生すると、各ガイド２１ａ〜２１ｆは、第１素材Ｍ１が発生したドレン水を吸収して第２素材Ｍ２よりも膨張するため、各ガイド２１ａ〜２１ｆの根元部分から下向きに湾曲して傾くことになる（図５参照）。
【００３７】
また、伝熱フィン２面上にドレン水などの水分がなくなり、各ガイド２１ａ〜２１ｆの第１素材Ｍ１が吸収した水分がなくなると、膨張していた第１素材Ｍ１はほとんど元の体積に戻る。このため、根元から下向きに湾曲して傾いていた各ガイド２１ａ〜２１ｆは、元通りになり、伝熱フィン２と略垂直に立ち上がることになる（図４参照）。
【００３８】
このように、各ガイド２１ａ〜２１ｆは、ドレン水などの水滴が発生して各ガイド２１ａ〜２１ｆの上面に触れると、上面に貼り付けられている第１素材Ｍ１が膨張して、下向きに湾曲して傾くことになる。したがって、ドレン水などの水滴が発生した場合に、各ガイド２１ａ〜２１ｆから水滴を下方に流下させやすくできる。このため、水滴を効率よく排水することができ、このフィンチューブ型熱交換器１内を通過する気流の風量を確保することができる。これにより、水滴が発生することによる熱交換効率の低下を極力防ぐことができる。また、ドレン水などに水が発生しなくなってフィンチューブ型熱交換器１が乾燥すると、各ガイド２１ａ〜２１ｆは、元通りになり、伝熱フィン２と略垂直に立ち上がることになり、伝熱管３近傍の気流が伝熱管３の気流の流れ方向後側に案内されるガイドとしての役目を果たすことになる。したがって、これらのガイド２１ａ〜２１ｆは、ドレン水などの水滴が発生して通風抵抗になる可能性がある場合にのみ、ドレン水を排出するように下向きに傾いて、それ以外の場合にはガイドとしての役目を果たすことができるため、その状況（水滴の発生の有無）に応じて熱交換効率を向上させるように機能することができる。
【００３９】
＜特徴＞
（１）
本実施形態では、各ガイド２１ａ〜２１ｆが、水に触れた場合に下向きに湾曲して傾斜し、乾燥して水を放出した場合に伝熱フィン２面に対して略垂直に立ち上がる。したがって、各ガイド２１ａ〜２１ｆがドレン水などの水滴が発生して水を吸収した状態の場合に、水を吸収した各ガイド２１ａ〜２１ｆを下向きに湾曲させて傾斜させることができ、伝熱フィン２面にドレン水などの水滴が発生した場合に、水滴を下方に流下させることができる。このため、水滴を効率よく排水することができ、このフィンチューブ型熱交換器１内を通過する気流の風量を確保することができる。これにより、水滴が発生することによる熱交換効率の低下を極力防ぐことができる。
【００４０】
（２）
本実施形態では、異種接合材料を形成する２種類の素材のうちで、一方の第１素材Ｍ１は水膨張率が大きく、逆に他方の第２素材Ｍ２は水膨張率が小さい素材である。そして、各ガイド２１ａ〜２１ｆには、この異種接合材料が利用されている。このため、各ガイド２１ａ〜２１ｆは、水を含んだ場合に、上面の第１素材Ｍ１が膨張し第２素材Ｍ２がほとんど膨張しないため、下向きに湾曲して傾斜することになる。また、それとは逆に、各ガイド２１ａ〜２１ｆが水を含んでいない状態になった場合に、伝熱フィン２面に対して垂直に立ち上がることになる。
【００４１】
したがって、ガイド２１ａ〜２１ｆは、ドレン水などの水滴が発生して通風抵抗になる可能性がある場合にのみ、ドレン水を排出するように下向きに傾いて、それ以外の場合にはガイドとしての役目を果たすことができるため、その状況（水滴の発生の有無）に応じて熱交換効率を向上させるように機能することができる。
【００４２】
＜変形例＞
以上、本発明の実施形態について図面に基づいて説明したが、具体的な構成は、これらの実施形態に限られるものではなく、発明の要旨を逸脱しない範囲で変更可能である。
【００４３】
（１）
本実施形態では、ガイド２１ａ〜２１ｆは、水膨張率が異なる２つの素材（第１素材Ｍ１および第２素材Ｍ２）を利用して水はけ効率を向上させているが、これに限らず、熱膨張率が異なる２つの素材（第３素材Ｍ３および第４素材Ｍ４）を利用して水はけ効率を向上させても構わない。具体的には、ガイド４１ａ〜４１ｆを構成する素材として、上面側に熱膨張率の小さい第３素材Ｍ３を利用し、下面側に熱膨張率の大きい第４素材Ｍ４を利用する。そして、このフィンチューブ型熱交換器１ａが凝縮器として機能しており、伝熱フィン面の温度が高くなった場合（例えば５０℃付近まで上昇）に、各ガイド４１ａ〜４１ｆが伝熱フィン４面に対して垂直に立ち上がるようにする（図４参照）。フィンチューブ型熱交換器１ａが蒸発器として機能して伝熱フィン面の温度が低くなった場合（例えば０℃付近まで下降）に、各ガイド４１ａ〜４１ｆは、膨張していた第４素材Ｍ４が収縮してほとんど膨張していなかった第３素材はほとんど収縮しないため下向きに湾曲して傾斜することになる（図５参照）。
【００４４】
このように、ドレン水が発生しやすい温度になった場合に、各ガイド４１ａ〜４１ｆは、下向きに湾曲して傾斜するため、ドレン水がこれらのガイド４１ａ〜４１ｆの上側に発生しても、ドレン水をガイド４１ａ〜４１ｆの下方に流下させることができ、水はけ性能を向上させることができる。したがって、これらのガイド４１ａ〜４１ｆは、ドレン水などの水滴が発生しやすい場合にのみ、ドレン水を排出するように下向きに傾いて、それ以外の場合にはガイドとしての役目を果たすことができるため、その状況（水滴の発生の有無）に応じて熱交換効率を向上させるように機能することができる。
【００４５】
（２）
本実施形態では、ガイド２１ａ〜２１ｆの全てに異種接合材料を利用して水はけ効率を向上させているが、全てのガイド２１ａ〜２１ｆに異種接合材料を利用しなくてもよく、伝熱管３の下側の第１ガイド２１ａ〜２１ｃにのみ異種接合材料を利用してもよい。ドレン水は、冷媒が直接中を流れる伝熱管３の近傍に特に発生しやすい。このため、伝熱管３の下側に多くのドレン水が流下することになり、伝熱管３の下側に形成される第１ガイド２１ａ〜２１ｃの上に保持される場合が多い。
【００４６】
したがって、特にドレン水が保持されやすい第１ガイド２１ａ〜２１ｃを異種接合材料を利用することのみでも、ほとんどの水滴を効率よく排水することができる。また、第２ガイド２１ｄ〜２１ｆには、異種接合材料を利用しなくともよいため上記実施形態の場合よりも生産コストを削減できる。
【産業上の利用可能性】
【００４７】
本発明に係るフィンチューブ型熱交換器は、水滴が発生することによる熱交換効率の低下を極力防ぐことができ、フィンチューブ型熱交換器、特に、気流中に配置された伝熱フィンと、伝熱フィンに挿入されており気流の流れ方向に略直交する方向に配置された複数の伝熱管とを備えたフィンチューブ型熱交換器等として有用である。
【図面の簡単な説明】
【００４８】
【図１】第１実施形態に係るフィンチューブ型熱交換器の断面図。
【図２】図１、図５、および図９のＩＩ−ＩＩ断面図。
【図３】図１のＩＩＩ−ＩＩＩ断面図。
【図４】図１、図５、および図９のＩＶ−ＩＶ断面図。
【図５】第２実施形態に係るフィンチューブ型熱交換器の断面図。
【符号の説明】
【００４９】
１              フィンチューブ型熱交換器
２，４          伝熱フィン
３              伝熱管
２１ａ〜２１ｃ  第１ガイド（複数のガイド）
２１ｄ〜２１ｆ  第２ガイド（複数のガイド）
４１ａ〜４１ｃ  第１ガイド（複数のガイド）
４１ｄ〜４１ｆ  第２ガイド（複数のガイド）
Ｍ１            第１素材
Ｍ２            第２素材
Ｍ３            第３素材（第１素材）
Ｍ４            第４素材（第２素材）
【図１】
2008215726.tif 000003
【図２】
2008215726.tif 000004
【図３】
2008215726.tif 000005
【図４】
2008215726.tif 000006
【図５】
2008215726.tif 000007